(57)【要約】      （修正有）【課題】折曲基点部によって挟まれた領域の排泄口に対するフィット性を確保しつつ、中央域の横漏れを抑制できる吸収性物品を提供する。【解決手段】吸収性物品は、着用者の排泄口と対向する中央域と、中央域の後側に位置する後側域と、中央域の前側に位置する前側域と、中央域に配置される吸収コアと、吸収コアの肌面側に位置する肌面シートとを有し、中央域には、吸収性物品の幅方向の中心を挟んで前後方向に延びる一対の折曲基点部が設けられ、中央域における吸収コアの最大幅は、前側域における吸収コアの最大幅よりも長く、吸収コアの外側縁は、折曲基点部よりも幅方向の外側に位置し、中央域は、中央域における前後方向の中心を含む中央中心部と、中央中心部よりも前後方向の外側に位置する中央端部と、を有し、中央中心部における吸収コアの外側縁と折曲基点部の幅方向の距離は、中央端部における吸収コアの外側縁と折曲基点部の幅方向の距離よりも長い。【選択図】図１
2020124316.tif 000002
【特許請求の範囲】
【請求項１】
互いに直交する前後方向及び幅方向と、
着用者の排泄口と対向する中央域と、
前記中央域よりも後側に位置する後側域と、
前記中央域よりも前側に位置する前側域と、
少なくとも前記中央域に配置される吸収コアと、
前記吸収コアよりも肌面側に位置する肌面シートと、を有する吸収性物品であって、
前記中央域には、前記吸収性物品の前記幅方向の中心を挟んで前記前後方向に延びる一対の折曲基点部が設けられており、
前記中央域における前記吸収コアの最大幅は、前記前側域における前記吸収コアの最大幅よりも長く、
前記吸収コアの外側縁は、前記折曲基点部よりも前記幅方向の外側に位置しており、
前記中央域は、前記中央域における前記前後方向の中心を含む中央中心部と、前記中央中心部よりも前記前後方向の外側に位置する中央端部と、を有し、
前記中央中心部における前記吸収コアの外側縁と前記折曲基点部の前記幅方向の距離は、前記中央端部における前記吸収コアの外側縁と前記折曲基点部の前記幅方向の距離よりも長い、吸収性物品。
【請求項２】
前記中央中心部における前記吸収コアの外側縁は、前記中央端部における前記吸収コアの外側縁よりも前記幅方向の外側に位置する、請求項１に記載の吸収性物品。
【請求項３】
前記折曲基点部は、少なくとも前記吸収コアを厚さ方向に圧縮した圧搾部によって構成されている、請求項１又は請求項２に記載の吸収性物品。
【請求項４】
前記折曲基点部よりも幅方向の外側の領域には、少なくとも前記吸収コアを厚さ方向に圧縮したサイド圧搾部が設けられており、
前記サイド圧搾部の前記厚さ方向における最深部は、前記圧搾部の前記厚さ方向における最深部よりも肌面側に位置する、請求項３に記載の吸収性物品。
【請求項５】
前記一対の折曲基点部に挟まれた領域の前記吸収コアには、前記一対の折曲基点部よりも前記幅方向の外側の領域における前記吸収コアよりも坪量が高い高坪量部が設けられている、請求項１から請求項４のいずれか1項に記載の吸収性物品。
【請求項６】
前記一対の折曲基点部に挟まれた領域の少なくとも一部には、少なくとも前記吸収コアを圧縮した中央圧搾部が設けられている、請求項１から請求項５のいずれか１項に記載の吸収性物品。
【請求項７】
前記吸収性物品を着用物品に接合する接合部が設けられており、
前記接合部は、前記吸収コアと重なる領域に配置された本体接合部を有し、
前記本体接合部は、前記中央中心部における前記吸収コアの外側縁と重ならない領域に配置されている、請求項１から請求項６のいずれか１項に記載の吸収性物品。
【請求項８】
着用時に着用物品の非肌面側に折り返されるウイングを有し、
前記中央域において、前記吸収コアの外側縁は、前記ウイングよりも前記幅方向の内側に位置する、請求項１から請求項７のいずれか１項に記載の吸収性物品。
【請求項９】
前記肌面シートは、表面シートと、前記表面シートの前記幅方向の外側部を覆う一対のサイドシートと、を有し、
前記一対のサイドシートのそれぞれは、一対の防漏壁を構成し、
前記防漏壁は、前記表面シートに対して起立可能である起立部と、前記起立部よりも前記幅方向の外側において前記起立部の起立支点となる幅支点部と、を有し、
前記防漏壁は、前記折曲基点部よりも前記幅方向の外側に位置する、請求項１から請求項８のいずれか１項に記載の吸収性物品。
【請求項１０】
前記中央中心部における前記吸収コアの外側縁は、前記幅支点部よりも前記幅方向の外側に位置する、請求項９に記載の吸収性物品。
【請求項１１】
前記吸収コアの外側縁は、前記幅方向に間隔を空けて配置され、かつ前記幅方向の内側へ延びる一対の第１括れ部を有し、
前記第１括れ部は、前記中央中心部よりも後側に配置されている、請求項１から請求項１０のいずれか１項に記載の吸収性物品。
【請求項１２】
前記第１括れ部は、前記中央域の後端縁よりも前側に位置する、請求項１１に記載の吸収性物品。
【請求項１３】
前記吸収コアの外側縁は、前記幅方向に間隔を空けて配置され、かつ前記幅方向の内側へ延びる一対の第２括れ部を有し、
前記第２括れ部は、前記中央中心部よりも前側に配置されている、請求項１から請求項１２のいずれか１項に記載の吸収性物品。
【請求項１４】
前記折曲基点部は、前記中央端部から前記中央中心部に向かって前記幅方向の内側に膨らんだ湾曲形状である、請求項１から請求項１３のいずれか１項に記載の吸収性物品。
【発明の詳細な説明】
【技術分野】
【０００１】
本発明は、吸収性物品の幅方向の中心を挟んで前後方向に延びる一対の折曲基点部が設けられた吸収性物品に関する。
【背景技術】
【０００２】
特許文献１は、吸収性物品の幅方向の中心を挟んで前後方向に延びる一対の折曲基点部を有する吸収性物品を開示している。折曲基点部は、着用者の排泄口と対向する中央域に配置されている。着用時に着用者の脚によって中央域が挟まれると、中央域には、幅方向の外側から幅方向の内側に向かう力がかかる。中央域は、折曲基点部を基点に変形して、折曲基点部によって挟まれた領域が着用者側に膨らむように変形する。
【先行技術文献】
【特許文献】
【０００３】
【特許文献１】特開２０１２−１３０３６５号公報
【発明の概要】
【発明が解決しようとする課題】
【０００４】
しかし、折曲基点部によって挟まれた領域が着用者側に膨らむように変形すると、中央域の幅方向の長さが短くなる。よって、折曲基点部よりも幅方向に拡散した体液の横漏れが発生するおそれがあった。
【０００５】
そこで、折曲基点部によって挟まれた領域の排泄口に対するフィット性を確保しつつ、中央域の横漏れを抑制できる吸収性物品を提供することを目的とする。
【課題を解決するための手段】
【０００６】
一態様に係る吸収性物品は、互いに直交する前後方向及び幅方向と、着用者の排泄口と対向する中央域と、前記中央域よりも後側に位置する後側域と、前記中央域よりも前側に位置する前側域と、少なくとも前記中央域に配置される吸収コアと、前記吸収コアよりも肌面側に位置する肌面シートを有する吸収性物品であって、前記中央域には、前記吸収性物品の幅方向の中心を挟んで前記前後方向に延びる一対の折曲基点部が設けられており、前記中央域における前記吸収コアの最大幅は、前記前側域における前記吸収コアの最大幅よりも長く、前記吸収コアの外側縁は、前記折曲基点部よりも前記幅方向の外側に位置しており、前記中央域は、前記中央域における前記前後方向の中心を含む中央中心部と、前記中央中心部よりも前後方向の外側に位置する中央端部と、を有し、前記中央中心部における前記吸収コアの外側縁と前記折曲基点部の前記幅方向の距離は、前記中央端部における前記吸収コアの外側縁と前記折曲基点部の前記幅方向の距離よりも長い。
【図面の簡単な説明】
【０００７】
【図１】実施形態における肌面側から見た吸収性物品の平面図である。
【図２】実施形態における非肌面側から見た吸収性物品の平面図である。
【図３】図１のＡ−Ａ線に沿った吸収性物品の断面図である。
【図４】図１のＢ部分の拡大図である。
【図５】吸収コアの平面図である。
【図６】着用状態の吸収性物品の斜視図である
【図７】着用状態の吸収性物品の断面図である。
【図８】着用状態の吸収性物品の断面図である。
【発明を実施するための形態】
【０００８】
（１）実施形態の概要
本明細書及び添付図面の記載により、少なくとも以下の事項が明らかとなる。
一態様に係る吸収性物品は、互いに直交する前後方向及び幅方向と、着用者の排泄口と対向する中央域と、前記中央域よりも後側に位置する後側域と、前記中央域よりも前側に位置する前側域と、少なくとも前記中央域に配置される吸収コアと、前記吸収コアよりも肌面側に位置する肌面シートを有する吸収性物品であって、前記中央域には、前記吸収性物品の幅方向の中心を挟んで前記前後方向に延びる一対の折曲基点部が設けられており、前記中央域における前記吸収コアの最大幅は、前記前側域における前記吸収コアの最大幅よりも長く、前記吸収コアの外側縁は、前記折曲基点部よりも前記幅方向の外側に位置しており、前記中央域は、前記中央域における前記前後方向の中心を含む中央中心部と、前記中央中心部よりも前後方向の外側に位置する中央端部と、を有し、前記中央中心部における前記吸収コアの外側縁と前記折曲基点部の前記幅方向の距離は、前記中央端部における前記吸収コアの外側縁と前記折曲基点部の前記幅方向の距離よりも長い。
【０００９】
着用時に着用者の脚によって中央域が挟まれると、中央域の折曲基点部によって挟まれた領域は、着用者側に膨らむように変形し、排泄口にフィットする。中央域は、前側域よりも着用者の脚の力を受けやすく、幅方向の長さが短くなり易い。しかし、中央域における吸収コアの最大幅が前側域における吸収コアの最大幅よりも長いため、中央域における吸収コアの幅方向の長さを確保し易く、横漏れを抑制できる。また、中央中心部は、中央端部と比較して、排泄口の近くに配置され易く、体液が導かれ易い。しかし、中央中心部における吸収コアの外側縁と折曲基点部の距離が比較的長いため、中央中心部において折曲基点部よりも幅方向の外側の領域に体液が導かれても、横漏れを抑制することができる。よって、折曲基点部によって挟まれた領域の排泄口に対するフィット性を確保しつつ、中央域の横漏れを抑制できる。
【００１０】
好ましい一態様によれば、前記中央中心部における前記吸収コアの外側縁は、前記中央端部における前記吸収コアの外側縁よりも前記幅方向の外側に位置してよい。
【００１１】
中央中心部は、中央域内おいて特に脚の力を受けやすく、幅方向の長さが短くなり易い。しかし、中央中心部における吸収コアの外側縁が中央端部における吸収コアの外側縁よりも幅方向の外側に位置するため、中央中心部における吸収コアの幅方向の長さを確保し易く、横漏れを抑制できる。
【００１２】
好ましい一態様によれば、前記折曲基点部は、少なくとも前記吸収コアを厚さ方向に圧縮した圧搾部によって構成されてよい。
【００１３】
圧搾部からなる折曲基点部は、周囲と比較して剛性差及び厚み差があり、変形の基点になりやすい。また、圧搾部からなる折曲基点部は、周囲と比較して高い密度であり、体液を引き込みやすい。よって、折曲基点部に到達した体液を前後方向に拡散しつつ、折曲基点部よりも幅方向の外側に拡散させ難くし、横漏れをより抑制できる。
【００１４】
好ましい一態様によれば、前記折曲基点部よりも幅方向の外側の領域には、少なくとも前記吸収コアを厚さ方向に圧縮したサイド圧搾部が設けられており、前記サイド圧搾部の前記厚さ方向における最深部は、前記圧搾部の前記厚さ方向における最深部よりも肌面側に位置してよい。
【００１５】
サイド圧搾部によって折曲基点部よりも幅方向の外側の領域の剛性を高め、脚によって挟まれた際に折曲基点部よりも幅方向の外側の領域が幅入りし過ぎることを抑制できる。よって、折曲基点部よりも幅方向の外側の領域の幅方向の長さを確保でき、横漏れを抑制できる。また、サイド圧搾部の圧縮の程度が弱いため、折曲基点部よりも幅方向の外側の領域の剛性が高くなりすぎず、折曲基点部よりも幅方向の外側の領域が脚に触れた際の違和感を抑制できる。
【００１６】
好ましい一態様によれば、前記一対の折曲基点部に挟まれた領域の前記吸収コアには、前記一対の折曲基点部よりも幅方向の外側の領域における前記吸収コアよりも坪量が高い高坪量部が設けられてよい。
【００１７】
高坪量部によって一対の折曲基点部の間の領域における体液の吸収容量を高め、折曲基点部よりも幅方向の外側の領域に到達する体液を低減し、横漏れをより抑制できる。また、高坪量部によって一対の折曲基点部の間の領域の厚みが厚くなり、一対の折曲基点部の間の領域の排泄口に対するフィット性を向上できる。また、高坪量部によって一対の折曲基点部の間の領域の剛性が高くなり、幅方向の内側に向かう力がかかった際の意図しないヨレや折れを抑制でき、フィット性を確保できる。
【００１８】
好ましい一態様によれば、前記一対の折曲基点部に挟まれた領域の少なくとも一部には、少なくとも前記吸収コアを圧縮した中央圧搾部が設けられてよい。
【００１９】
本態様によれば、一対の折曲基点部の間の領域における体液の引き込み性を高め、折曲基点部よりも幅方向の外側の領域に到達する体液を低減し、横漏れをより抑制できる。また、中央圧搾部によって一対の折曲基点部の間の領域の剛性が高くなり、幅方向の内側に向かう力がかかった際の意図しないヨレや折れを抑制でき、フィット性を確保できる。
【００２０】
好ましい一態様によれば、前記吸収性物品を着用物品に接合する接合部が設けられており、前記接合部は、前記吸収コアと重なる領域に配置された本体接合部を有し、前記本体接合部は、前記中央中心部における前記吸収コアの外側縁と重ならない領域に配置されてよい。
【００２１】
着用者の脚によって挟まれた際の力は、中央中心部に掛かり易く、特に中央中心部における吸収コアの外側縁にかかる。このとき、中央中心部における吸収コアの外側縁に本体接合部が重なっていないため、中央中心部における吸収コアの外側縁が着用物品側に引っ張られずに、着用物品に対して立ち上がりやすくなる。中央中心部における吸収コアの外側縁が立ち上がることにより、排泄口のサイドを覆う壁が形成され、横漏れを抑制できる。
【００２２】
好ましい一態様によれば、着用時に着用物品の非肌面側に折り返されるウイングを有し、前記中央域において、前記吸収コアの外側縁は、前記ウイングよりも前記幅方向の内側に位置してよい。
【００２３】
本態様によれば、中央域の吸収コアは、ウイングと共に非肌面側に折り返されず、着用物品に対して立ち上がりやすくなる。中央域における吸収コアの外側縁が立ち上がることにより、排泄口の側方を覆う壁が形成され、横漏れを抑制できる。
【００２４】
好ましい一態様によれば、前記肌面シートは、表面シートと、前記表面シートの前記幅方向の外側部を覆う一対のサイドシートと、を有し、前記一対のサイドシートのそれぞれは、一対の防漏壁を構成し、前記防漏壁は、前記表面シートに対して起立可能である起立部と、前記起立部よりも前記幅方向の外側において前記起立部の起立支点となる幅支点部と、を有し、前記防漏壁は、前記折曲基点部よりも前記幅方向の外側に位置してよい。
【００２５】
本態様によれば、排泄口の側方を覆う防漏壁が折曲基点部よりも幅方向の外側に形成され、横漏れを抑制できる。よって、折曲基点部よりも幅方向の外側に体液が拡散した場合に、折曲基点部よりも幅方向の外側の吸収コアによって体液を吸収するとともに、防漏壁によって横漏れを抑制できる。
【００２６】
好ましい一態様によれば、前記中央中心部における前記吸収コアの外側縁は、前記幅支点部よりも前記幅方向の外側に位置してよい。
【００２７】
本態様によれば、吸収コアによって速やかに体液が引き込まれなかった場合や吸収コアの吸収容量を超えた場合には、体液が肌面シート上に残り、幅方向の外側に伝わる。このとき、防漏壁の起立部の支点となる幅支点部に到達することがある。この体液の拡散は、体液が導かれ易い中央中心部において発生しやすい。中央中心部における吸収コアの外側縁が幅支点部よりも幅方向の外側に位置するため、幅支点部まで体液が到達しても、当該到達した体液を吸収コアによって吸収でき、横漏れを抑制できる。
【００２８】
好ましい一態様によれば、前記吸収コアの外側縁は、前記幅方向に間隔を空けて配置され、かつ前記幅方向の内側へ延びる一対の第１括れ部を有し、前記第１括れ部は、前記中央中心部よりも後側に配置されてよい。
【００２９】
本態様によれば、着用者が比較的に大きな動作をすると、吸収性物品のうち特に後側域に捩れさせようとする力が作用する。このとき、一対の第１括れ部によって後側域のねじれを吸収し、当該ねじれが中央中心部に伝わり難くなる。よって、中央中心部における排泄口に対するフィット性の確保と横漏れの抑制効果を両立できる。
【００３０】
好ましい一態様によれば、前記第１括れ部は、前記中央域の後端縁よりも前側に位置してよい。
【００３１】
本態様によれば、中央域にかかる幅方向の内側に向かう力を第１括れ部によって分断でき、後側域を臀部に沿わせるように配置できる。加えて、後側域からの力を第１括れ部によって分断でき、後側域にかかる力が中央中心部に係り難くなり、中央中心部における吸収コアの幅方向の長さを確保し、横漏れを抑制できる。
【００３２】
好ましい一態様によれば、前記吸収コアの外側縁は、前記幅方向に間隔を空けて配置され、かつ前記幅方向の内側へ延びる一対の第２括れ部を有し、前記第２括れ部は、前記中央中心部よりも前側に配置されてよい。
【００３３】
本態様によれば、前側域からの力を第２括れ部によって分断でき、前側域にかかる力が中央中心部に係り難くなり、中央中心部における吸収コアの幅方向の長さを確保し、横漏れを抑制できる。
【００３４】
好ましい一態様によれば、前記折曲基点部は、前記中央端部から前記中央中心部に向かって前記幅方向の内側に膨らんだ湾曲形状であってよい。
【００３５】
中央端部から前記中央中心部に向かって前記幅方向の内側に膨らんだ湾曲形状であるため、幅方向の内側に向かう力を中央中心部において折曲基点部間に伝えやすく、折曲基点部間の領域が身体側により膨らみやすく、排泄口に対するフィット性をより向上できる。      
【００３６】
（２）実施形態に係る吸収性物品
以下、図面を参照して、実施形態に係る吸収性物品ついて説明する。吸収性物品は、生理用ナプキン、パンティライナー及び、大人用失禁パッドを含む。吸収性物品は、下着等の着用物品の内側に取り付けられて使用される物品であってよい。
【００３７】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３８】
図１は、実施形態における肌面側から見た吸収性物品の平面図である。図２は、実施形態における非肌面側から見た吸収性物品の平面図である。図３は、図１に示すＡ−Ａ線に沿った断面図である。ここで、「肌面側」は、使用中に着用者の肌に面する側に相当する。「非肌面側」は、使用中に着用者の肌とは反対に向けられる側に相当する。なお、図３の断面図では、説明の便宜上、吸収性物品を構成する構成部材を厚み方向に離間させている。しかし、実際の製品では、構成部材同士は、厚み方向に接しており、また、圧搾部による凹みが形成されている。
【００３９】
吸収性物品は、スポーツ用の吸収性物品であってよい。スポーツ用の吸収性物品は、スポーツ時に適した吸収性物品である。ここで、スポーツ用の吸収性物品とは、以下の１から３の少なくともいずれかに当てはまる吸収性物品である。１、吸収性物品自体、吸収性物品を個別に包装する包装シート、及び吸収性物品を複数収容したパッケージのうち少なくともいずれかに、スポーツ用であること、またはスポーツを想起させる文字や絵柄を有する吸収性物品。２、吸収性物品の販促ツール（広告、販売促進物）において、スポーツ用であることを示した吸収性物品。３、普通の生活では行われないスポーツ時ならではの動作にて違和感なく使用することができる吸収性物品。例えば、脚を大きく動かす等のスポーツの動きを阻害しない柔軟性がある吸収性物品。長時間走り続ける等長時間のスポーツにおいても吸収体や吸収性物品が破損せずに使用することができる耐久性がある吸収性物品。着用者が汗をかいてもヨレやズレが発生せず装着感に違和感がない吸収性物品。本実施形態は、スポーツを想起させる機能表示図柄を有するともに、機能表示図柄を構成する圧搾部によってスポーツ時のねじれを吸収し、スポーツ時に違和感なく使用できるように構成されている。
【００４０】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００４１】
吸収性物品１は、中央域Ｓ３、前側域Ｓ１及び後側域Ｓ２を有する。中央域Ｓ３は、着用者の排泄口（例えば膣口）に対向する領域である。吸収性物品が下着に装着されたときに、中央域Ｓ３は、下着の股下部に位置する。つまり、中央域Ｓ３は、着用者の股下、すなわち着用者の両足の間に配置される領域である。前側域Ｓ１は、中央域Ｓ３よりも前側に位置する。前側域Ｓ１の前端縁は吸収性物品１の前端縁を規定する。後側域Ｓ２は、中央域Ｓ３よりも後側に位置する。後側域Ｓ２の後端縁は吸収性物品１の後端縁を規定する。後側域Ｓ２の前後方向Ｌの長さは、中央域Ｓ３の前後方向Ｌの長さよりも長くなってよい。
【００４２】
中央域Ｓ３には、後述するウイング３が設けられてよい。ウイング３の前端縁３Ｆは、ウイング３の付け根によって規定されており、幅方向Ｗの内側に窪んだ２つの部分のうち、前側に位置する部分に相当する。ウイング３の前端縁３Ｆは、中央域Ｓ３と前側域Ｓ１との境界を規定してもよい。ウイング３の後端縁３Ｒは、ウイング３の付け根によって規定されており、幅方向Ｗの内側に窪んだ２つの部分のうち、後側に位置する部分に相当する。ウイング３の後端縁３Ｒは、中央域Ｓ３と後側域Ｓ２との間に位置してよい。ここで、前後方向Ｌにおけるウイング３の前端縁とウイング３の後端縁との間の領域を「ウイング域」と称する。また、ウイングの内側縁は、ウイングの付け根であり、ウイング３の前端縁３Ｆとウイング３の後端縁３Ｒを繋ぐ仮想線ＦＬ１（図１参照）となる。
【００４３】
また、ウイングを有する吸収性物品では、中央域Ｓ３は、ウイング域と実質的に同じ領域となる。したがって、本明細書において、「中央域Ｓ３」との語は、「ウイング域」と読み替えることができることに留意すべきである。また、中央域Ｓ３は、ウイングを有しない吸収性物品にあっては、吸収コア３０を前後方向Ｌに三等分した真ん中の領域であってもよいし、高坪量部３３を有する吸収性物品にあっては、高坪量部３３を有する領域であってもよい。
【００４４】
中央域Ｓ３は、中央中心線Ｓ３ＣＬを含む中央中心部Ｓ３１と、中央中心部Ｓ３１よりも前後方向Ｌの外側に位置する中央端部Ｓ３２と、を有する。中央中心線Ｓ３ＣＬは、中央域Ｓ３における前後方向Ｌの中心を通り、かつ幅方向Ｗに延びるラインである。中央中心部Ｓ３１は、中央中心線Ｓ３ＣＬを含み、中央中心線Ｓ３ＣＬから前後方向に一定の範囲を有する領域である。中央端部Ｓ３２は、中央域Ｓ３の前端縁から一定の範囲を有する領域と、中央域Ｓ３の後端縁から一定の範囲を有する領域と、によって構成されている。中央中心部Ｓ３１は、前後方向において中央端部Ｓ３２によって挟まれている。中央中心部Ｓ３１は、中央域Ｓ３後方向に３等分した領域のうち、中央に位置する領域によって構成されている。または、後述するウイング接合部６２が設けられた領域を中央中心部Ｓ３１として、中央中心部Ｓ３１の前後方向の外側の領域を、中央端部Ｓ３２としてもよい。
【００４５】
吸収性物品１は、肌面シート１０、非肌面シート２０及び吸収コア３０を有する。肌面シート１０は、吸収コア３０よりも肌面側Ｔ１に設けられる。非肌面シート２０は、吸収コア３０よりも非肌面側Ｔ２に設けられる。吸収コア３０は、肌面シート１０と非肌面シート２０との間に設けられる。
【００４６】
肌面シート１０は、体液等の液体を透過する液透過性のシートであり、不織布、織布、有孔プラスチックシート、メッシュシート等、液体を透過する構造を有する任意のシート状の材料から構成される。また、肌面シート１０は、吸収コア３０の幅方向の中央を覆う表面シート１１と、表面シート１１の外側部を覆い、かつ表面シート１１から幅方向の外側に延びるサイドシート１２によって構成されよい。表面シート１１は、少なくとも吸収コア３０の幅方向Ｗの中央を覆い、サイドシート１２は、幅方向Ｗにおける表面シート１１の外側部を覆い、表面シート１１よりも幅方向Ｗの外側へ延びてよい。サイドシート１２は、防漏性の観点から疎水性のシートを用いてもよい。肌面シートと吸収コア（又はコアラップ）との間には、セカンドシートが配置されていてもよい。
【００４７】
なお、本発明における外側部とは、幅方向Ｗにおける外側縁を含む幅方向Ｗに一定の範囲を占める部分であり、外側縁とは、幅方向Ｗにおける外側縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでいる。
【００４８】
サイドシート１２は、防漏壁６５を構成してよい。防漏壁６５によって横漏れを抑制できる。防漏壁６５は、表面シート１１に対して起立可能である起立部６６と、起立部６６よりも幅方向Ｗの外側において起立部６６の起立支点となる幅支点部６７と、を有してよい。起立部６６は、サイドシート１２の内側部において、表面シート１１に対して接合されていない部分によって構成される。起立部６６は、前後方向に伸縮する防漏伸縮部材を有していてもよい。幅支点部６７は、起立部６６の起立支点となり、表面シート１１に対してサイドシート１２が接合された部分によって構成される。このような構成によれば、サイドシート１２が表面シート１１に対して接合された幅支点部６７を起点として、サイドシート１２が表面シート１１に対して起立可能である起立部（表面シートに対して接合されていない部分）６６が立ち上がり可能となる。なお、防漏壁６５は、起立部６６よりも前後方向の外側において起立部６６の起立支点となる前後支点部６８を有してもよい。
【００４９】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００５０】
吸収コア３０は、少なくとも中央域Ｓ３及び後側域Ｓ２に配置される。また、吸収コア３０は、前側域Ｓ１にも配置されてよい。吸収コア３０は、液体を吸収する吸収材料が積層されており、コアラップ（図示せず）によって覆われてよい。吸収コア３０を構成する吸収材料は、例えば、親水性繊維、パルプ及び高吸水性高分子（ＳＡＰ）から形成できる。
【００５１】
吸収コア３０は、熱可塑性樹脂繊維を含んでいてよい。コアラップは、例えば不織布やティッシュから構成することができる。コアラップは、吸収コア３０よりも肌面側Ｔ１と吸収コア３０よりも非肌面側Ｔ２にそれぞれ配置されてよい。変形例として、吸収コア３０は、コアラップを有していなくてもよい。この場合、吸収コア３０は、肌面シート１０と非肌面シート２０とによって覆われていればよい。吸収コア３０については、後述にて詳細に説明する。
【００５２】
前述したように、吸収性物品１は、ウイング３を有する。ウイング３は、中央域Ｓ３における吸収コア３０の外側縁よりも幅方向Ｗの外側に延出している。ウイング３は、肌面シート１０と非肌面シート２０との積層によって構成されてよい。ウイング３は、非肌面シート２０側に折り返し可能に構成されている。ウイング３は、使用時に着用物品としての下着のクロッチ部の非肌面側に折り返される。
【００５３】
変形例において、吸収性物品は、ヒップフラップを有してよい。ヒップフラップは、ウイング３と同様に、中央域Ｓ３における吸収コア３０の外側縁よりも幅方向Ｗの外側に延出し、肌面シート１０と非肌面シート２０との積層によって構成されてよい。ヒップフラップは、ウイング３よりも後側に位置し、後側域Ｓ２に設けられてよい。ヒップフラップは、使用時に折り返されず、下着と着用者の臀部との間に配置される。ヒップフラップには、吸収材料が設けられてなくてもよいし、吸収材料が設けられてもよい。
【００５４】
図２に示すように、吸収性物品１は、吸収性物品１を下着等の着用物品に接合するための粘着剤が設けられた接合部を有する。接合部は、吸収コア３０と重なる領域に配置された本体接合部６１と、ウイング３に配置されたウイング接合部６２と、を有してよい。本体接合部６１は、前後方向Ｌに延び、かつ幅方向Ｗに間隔を空けて配置されている。本体接合部６１は、吸収性物品の幅方向Ｗの中心である物品幅中心線１ＷＣに配置されてなく、物品幅中心線１ＷＣの幅方向Ｗの両側にそれぞれ複数列ずつ配置されている。ここで、物品幅中心線１ＷＣは、吸収性物品の幅方向Ｗの中心を通り、かつ前後方向Ｌに延びるラインである。具体的には、本体接合部６１は、物品幅中心線１ＷＣの幅方向Ｗの両側にそれぞれ８列ずつ配置されている。最も幅方向Ｗの外側の列に位置する本体接合部６１の前後方向の長さは、他の本体接合部６１の前後方向の長さよりも長くてよい。これらの接合部は、非肌面シート２０の非肌面側に設けられている。接合部は、使用前の状態において、被覆シートによって覆われてもよい。被覆シートは、使用前に接合部の粘着剤の劣化を防止し、吸収性物品の使用時に着用者によって取り外される。
【００５５】
吸収性物品１の少なくとも中央域Ｓ３には、吸収性物品の幅方向Ｗの中心を挟んで前後方向に延びる一対の折曲基点部７１が設けられている。折曲基点部７１は、中央域Ｓ３のみに設けられていてもよいし、前側域Ｓ１に跨がっていてもよいし、後側域Ｓ２に跨がっていてもよい。折曲基点部７１は、少なくとも中央中心線Ｓ３ＣＬを跨がっていればよく、中央域Ｓ３の前後方向の全域でなく前後方向の一部の領域に設けられていてもよい。本実施の形態の折曲基点部７１の前端縁７１Ｆは、中央域Ｓ３の前端縁よりも後側に位置し、折曲基点部７１の後端縁７１Ｒは、中央域Ｓ３の後端縁よりも前側に位置してよい。
【００５６】
折曲基点部７１は、物品幅中心線１ＷＣに対して幅方向Ｗに離間しており、物品幅中心線１ＷＣを挟んで一対で配置されている。折曲基点部７１は、前後方向Ｌに延びている。なお、折曲基点部７１は、少なくとも前後方向に延びていればよく、前後方向Ｌに対して平行であってもよいし、前後方向Ｌに対して傾斜していてもよい。折曲基点部７１は、平面視にて幅方向Ｗの内側に膨らむ湾曲形状であってもよいし、幅方向Ｗの外側に向かって膨らむ湾曲形状であってもよい。折曲基点部７１は、複数の点状部分の集合体によって構成されていてもよいし、線状であってもよい。
【００５７】
折曲基点部７１は、吸収性物品の変形基点として機能する。折曲基点部７１は、剛性差、厚み差、吸収コアの坪量の差等によって変形の基点となるものであればよく、具体的には、少なくとも吸収コアを厚さ方向に圧縮した圧縮部、吸収コアの坪量が周囲よりも低い低坪量部、吸収コアの坪量が周囲よりも高い高坪量部、及び吸収コアの厚みが周囲よりも薄い低厚み部、吸収コアの厚みが周囲よりも厚い高厚み部の少なくともいずれか、又はこれらの組み合わせによって構成できる。
【００５８】
図４は、図１のＢ部分の拡大図である。本実施の形態の折曲基点部７１は、圧搾部８０として折曲圧搾部８１によって構成されている。折曲圧搾部８１は、吸収コア３０と肌面シートとしての表面シート１１が厚さ方向に圧縮されている。折曲圧搾部８１は、低圧搾部８１Ｌと、低圧搾部８１Ｌよりも圧縮の程度が強い高圧搾部８１Ｈと、の集合体によって構成されてよい。低圧搾部８１Ｌの深さは、高圧搾部８１Ｈの深さよりも浅い。すなわち、低圧搾部８１Ｌの圧縮の程度は、高圧搾部８１Ｈの圧縮の程度よりも弱い。
【００５９】
折曲基点部７１は、吸収コア３０に重なっていてよい。吸収コアの変形基点として機能することが好ましい。吸収コア３０の外側縁３０Ｅは、折曲基点部７１よりも幅方向Ｗの外側に位置しており、吸収コア３０の外側縁３０Ｅと折曲基点部７１は、幅方向Ｗに離間している。そのため、吸収コアは、折曲基点部７１よりも幅方向Ｗの外側の領域と、折曲基点部７１同士によって挟まれた領域と、にそれぞれ配置されている。
【００６０】
圧搾部８０は、折曲基点部７１を構成する折曲圧搾部の他に、前圧搾部８２と、後圧搾部８３と、サイド圧搾部８５と、中央圧搾部８６と、を有してよい。前圧搾部８２、後圧搾部８３、サイド圧搾部８５、及び中央圧搾部８６は、少なくとも吸収コアが厚さ方向に圧縮されており、肌面シートと吸収コアが厚さ方向に圧縮されていてもよい。
【００６１】
図１に示すように、前圧搾部８２は、折曲基点部７１よりも前側に位置し、前側域Ｓ１と中央域Ｓ３に跨がって配置されてよい。後圧搾部８３は、折曲基点部７１よりも後側に位置し、後側域Ｓ２と中央域Ｓ３に跨がって配置されてよい。前圧搾部８２及び後圧搾部８３のそれぞれは、第１ライン及び第１ラインと交差部において交差する第２ラインを有するX字状であって、交差部から四方に延出する延出部を有してよい。
【００６２】
サイド圧搾部８５は、平面視にて曲線状であり、間隔を空けて複数設けられている。サイド圧搾部８５は、幅方向Ｗの内側に膨らむ凸形状と、幅方向Ｗの外側に膨らむ凸形状と、が前後方向に連続したライン状であってよい。サイド圧搾部８５は、主に、折曲基点部７１よりも幅方向Ｗの外側と、前圧搾部８２よりも前側と、後圧搾部８３よりも後側と、に設けられてよい。サイド圧搾部８５は、折曲基点部７１、前圧搾部８２及び後圧搾部８３のそれぞれに重なる領域にも設けられてよい。サイド圧搾部８５は、折曲基点部７１よりも幅方向Ｗの内側に延出していてもよいし、前圧搾部８２よりも後側に延出していてもよいし、後圧搾部８３よりも前側に延出していてもよい。
【００６３】
中央圧搾部８６は、一対の折曲基点部７１に挟まれた領域に設けられている。中央圧搾部８６は、点状であって、前後方向及び幅方向Ｗに間隔を空けて複数配置されている。中央圧搾部８６は、高坪量部３３が配置された領域に設けられてよい。中央圧搾部８６の深さは、少なくともサイド圧搾部８５よりも深くてよい。すなわち、中央圧搾部８６の底面は、サイド圧搾部８５の底面よりも非肌面側Ｔ２に位置してよい。当該構成によれば、中央域Ｓ３が膣口にフィットした際に、中央圧搾部８６によって経血等の体液を吸収コア３０側に引き込み易くなる。
【００６４】
（３）吸収コアの詳細構成
次に、図５を参照し、吸収コア３０の構成についてより具体的に説明する。図５は、吸収コア３０の平面図である。吸収コア３０の幅方向Ｗの長さは、前後方向において変化している。中央域Ｓ３における吸収コア３０の最大幅ＷＭＳ３は、前側域Ｓ１における吸収コア３０の最大幅ＷＭＳ１よりも長い。着用時に着用者の脚によって吸収性物品１が挟まれると、前側域Ｓ１及び中央域Ｓ３には、幅方向Ｗの外側から幅方向Ｗの内側に向かう力がかかる。このとき、中央域Ｓ３は、前側域Ｓ１よりも着用者の脚の力を受けやすく、幅方向Ｗの長さが短くなり易い。しかし、中央域Ｓ３における吸収コア３０の最大幅ＷＭＳ３が前側域Ｓ１における吸収コア３０の最大幅ＷＭＳ１よりも長いため、中央域Ｓ３における吸収コア３０の幅方向Ｗの長さを確保し易く、横漏れを抑制できる。
【００６５】
なお、中央域Ｓ３における吸収コア３０の最大幅ＷＭＳ３は、後側域の吸収コアの最大幅ＷＭＳ２と同じであってもよいし、後側域Ｓ２の吸収コアの最大幅よりも短くてもよい。後側域Ｓ２の吸収コアは、臀部を覆うように配置されており、比較的広く設けられてよい。また、後側域Ｓ２の吸収コアは、着用時に着用者の脚によって挟まれる力が掛かりにくく、前側域及び中央域のように、着用者の脚によって挟まれる力による変形が生じ難いためである。
【００６６】
また、中央域Ｓ３における吸収コア３０の外側縁３０Ｅは、幅方向Ｗの外側に膨らむ凸形状であってよく、中央中心部Ｓ３１における吸収コア３０の外側縁３０Ｅは、中央端部Ｓ３２における吸収コア３０の外側縁３０Ｅよりも幅方向Ｗの外側に位置してよい。なお、中央中心部Ｓ３１の少なくとも一部において、吸収コア３０の外側縁３０Ｅが、中央端部Ｓ３２の吸収コア３０の外側縁３０Ｅよりも幅方向Ｗの外側に位置していればよい。中央域Ｓ３における吸収コア３０の最大幅ＷＭＳ３は、中央中心線Ｓ３ＣＬ上に位置してよい。中央中心部Ｓ３１は、中央域Ｓ３内においても最も幅方向Ｗの内側に向かう力がかかり易い。中央中心部Ｓ３１における吸収コア３０の幅方向Ｗの長さを確保することにより、横漏れをより抑制できる。
【００６７】
図１に示すように、吸収コアの外側縁３０Ｅと折曲基点部７１の幅方向Ｗの距離は、前後方向において変化してよい。中央中心部Ｓ３１における吸収コア３０の外側縁３０Ｅと折曲基点部７１の幅方向Ｗの距離Ｇ１１は、中央端部Ｓ３２における吸収コアの外側縁３０Ｅと折曲基点部７１の幅方向の距離Ｇ１２，Ｇ１３よりも長い。距離Ｇ１１は、中央中心部Ｓ３１における吸収コア３０の外側縁３０Ｅと折曲基点部７１の外側縁との距離である。Ｇ１２は、中央中心部Ｓ３１よりも前側に位置する中央端部Ｓ３２における吸収コアの外側縁３０Ｅと折曲基点部７１の外側縁との距離である。Ｇ１３は、中央中心部Ｓ３１よりも後側に位置する中央端部Ｓ３２における吸収コアの外側縁３０Ｅと折曲基点部７１の外側縁との距離である。Ｇ１１は、中央中心部Ｓ３１内で変化していてもよく、Ｇ１２及びＧ１３は、中央端部Ｓ３２内で変化していてもよい。Ｇ１１、Ｇ１２、及びＧ１３が変化する形態にあっては、Ｇ１１の最大値がＧ１２の最大値よりも長く、Ｇ１１の最大値がＧ１３の最大値よりも長ければよい。また、Ｇ１２とＧ１３は、異なっていてもよい。
【００６８】
吸収コア３０の外側縁３０Ｅと折曲基点部７１の幅方向Ｗの距離は、中央中心線Ｓ３ＣＬに向かって長くなっていてよい。本実施の形態では、吸収コア３０の外側縁３０Ｅが中央端部Ｓ３２から中央中心部Ｓ３１に向かって幅方向Ｗの外側に膨らんだ湾曲形状であり、折曲基点部７１が中央端部Ｓ３２から中央中心部Ｓ３１に向かって幅方向Ｗの内側に膨らんだ湾曲形状である。これらの構成によって、Ｇ１１＞Ｇ１２及びＧ１１＞Ｇ１３を実現している。
【００６９】
Ｇ１１＞Ｇ１２及びＧ１１＞Ｇ１３を実現する他の構成としては、吸収コア３０の外側縁３０Ｅが中央端部Ｓ３２から中央中心部Ｓ３１に向かって幅方向Ｗの外側に膨らんだ湾曲形状であり、折曲基点部７１が前後方向に対して平行である構成、吸収コア３０の外側縁３０Ｅ及び折曲基点部７１が共に中央端部Ｓ３２から中央中心部Ｓ３１に向かって幅方向Ｗの外側に膨らんだ湾曲形状であって、その膨らむ程度が折曲基点部７１の方がなだらかである構成を例示できる。
【００７０】
さらに、中央中心部Ｓ３１における吸収コア３０の幅方向Ｗの長さをより確保するために、中央域Ｓ３における吸収コア３０の最大幅ＷＭＳ３は、前後方向Ｌに延びる一定範囲に亘って設けられてよい。幅方向Ｗの内側に向かう力がかかった際に、幅入りがより抑制され易くなり、横漏れを抑制できる。本実施の形態の中央中心部Ｓ３１における吸収コア３０の外側縁は、中央中心線Ｓ３ＣＬから前後方向Ｌに沿って平行に延びている。
【００７１】
図５に示すように、吸収コア３０の外側縁３０Ｅには、幅方向Ｗの内側に括れる括れ部９０が設けられている。括れ部は、中央中心部Ｓ３１よりも後側に配置された第１括れ部９１と、中央中心部Ｓ３１よりも前側に配置された第２括れ部９２と、を有する。第１括れ部９１及び第２括れ部９２は、物品幅中心線１ＷＣを挟み、かつ幅方向Ｗに間隔を空けて一対で配置されている。括れ部９０は、吸収コア３０の一部を切欠した部分または吸収コア３０の他の部分に比して肉薄の肉薄部分によって構成される。図示例では、吸収コア３０の一部を切欠した部分によって構成されている。なお、括れ部の形状は、必要に応じて、適宜変更することができる。
【００７２】
第１括れ部９１は、吸収コア３０の外側縁３０Ｅから幅方向Ｗの内側に向かって延びている。第１括れ部は、幅方向の内側縁に位置する内端（先端）９１Ａと、内端９１Ａから後側に延びる第１後側縁９１Ｃ、内端９１Ａから前側に延びる第１前側縁９１Ｂと、第１後側縁９１Ｃと吸収コアの外側縁３０Ｅとの交点である後外端９１Ｅと、第１前側縁９１Ｂと吸収コアの外側縁３０Ｅとの交点である前外端９１Ｄと、有する。内端（先端）９１Ａは、第１括れ部９１の前後方向の中心よりも前側に偏倚している。第１前側縁９１Ｂの前後方向の長さは、第１後側縁９１Ｃの前後方向の長さよりも短い。第１括れ部９１の前後方向Ｌの長さは、幅方向Ｗの内側に向かって短くなっている。
【００７３】
第２括れ部９２は、吸収コア３０の外側縁３０Ｅから幅方向Ｗの内側に向かって延びている。第２括れ部９２は、幅方向の内側縁に位置する内端（先端）９２Ａと、内端９２Ａから後側に延びる第２後側縁９２Ｃと、内端９２Ａから前側に延びる第２前側縁９２Ｂと、第２後側縁９２Ｃと吸収コアの外側縁３０Ｅとの交点である後外端９２Ｅと、第２前側縁９２Ｂと吸収コアの外側縁３０Ｅとの交点である前外端９２Ｄと、有する。内端（先端）９２Ａは、第２括れ部９２の前後方向の中心よりも後側に偏倚している。第２前側縁９２Ｂの前後方向の長さは、第２後側縁９２Ｃの前後方向の長さよりも長い。第２括れ部９２の前後方向の長さは、幅方向Ｗの内側に向かって短くなっている。
【００７４】
吸収コア３０の坪量は、一定であってもよいし、部分的に異なっていていてもよい。吸収コア３０は、周囲の吸収コア３０よりも坪量が高い高坪量部３３が設けられていてよい。本実施の形態の高坪量部３３は、折曲基点部７１よりも幅方向Ｗの外側の領域よりも吸収コアの坪量がＴ高い領域である。高坪量部３３は、一対の折曲基点部７１によって挟まれた領域のうち少なくとも一部に設けられてよい。
【００７５】
（４）着用時の変形態様
次いで、図６から図８に基づいて着用時の変形態様について説明する。図６は、吸収性物品が着用物品としての下着Ｓに装着された状態を模式的に示す斜視図である。図７及び図８は、図３に示す断面を基準とした着用状態を示している。図７は、幅方向Ｗの内側に向かう力を受けていない状態であり、図８は、幅方向Ｗの内側に向かう力を受けた状態である。本実施の形態の吸収性物品は、排泄口に対するフィット性を確保しつつ、中央域Ｓ３の横漏れを抑制できるように構成されている。
【００７６】
着用時に着用者の脚によって中央域Ｓ３が挟まれると、中央域Ｓ３には、幅方向Ｗの外側から幅方向Ｗの内側に向かう力がかかる。このとき、吸収性物品は、折曲基点部７１を基点に変形する。そして、中央域Ｓ３の折曲基点部７１によって挟まれた領域は、着用者側に膨らむように変形し、排泄口にフィットする。
【００７７】
中央域Ｓ３は、前側域よりも着用者の脚の力を受けやすく、幅方向Ｗの長さが短くなり易い。しかし、中央域Ｓ３における吸収コアの最大幅ＷＭＳ３が前側域Ｓ１における吸収コアの最大幅ＷＭＳ１よりも長いため、中央域Ｓ３における吸収コアの幅方向Ｗの長さを確保し易く、横漏れを抑制できる。
【００７８】
また、中央域Ｓ３内おいても特に中央中心部Ｓ３１は、最も着用者の脚の力を受けやすく、幅方向Ｗの長さが短くなり易い。また、中央中心部Ｓ３１は、中央端部Ｓ３２と比較して、排泄口の近くに配置され易く、体液が導かれ易い。しかし、中央中心部Ｓ３１における吸収コア３０の外側縁３０Ｅと折曲基点部７１の距離が比較的長いため、中央中心部Ｓ３１において折曲基点部７１よりも幅方向Ｗの外側の領域に体液が導かれても、折曲基点部７１よりも幅方向Ｗの外側に位置する吸収コアで体液を吸収し、横漏れを抑制することができる。一方、中央端部Ｓ３２は、中央中心部Ｓ３１よりも、排泄口と離れて配置され易く、体液が導かれにくい。よって、中央端部Ｓ３２における吸収コア３０の外側縁３０Ｅと折曲基点部７１の距離が比較的短くても、体液の横漏れを抑制することができる。よって、折曲基点部７１によって挟まれた領域の排泄口に対するフィット性を確保しつつ、中央域Ｓ３の横漏れを抑制できる。
【００７９】
中央中心部Ｓ３１における吸収コア３０の外側縁３０Ｅは、中央端部Ｓ３２における吸収コア３０の外側縁３０Ｅよりも幅方向Ｗの外側に位置してよい。中央域Ｓ３内おいても特に中央中心部Ｓ３１は、最も着用者の脚の力を受けやすく、幅方向Ｗの長さが短くなり易い。しかし、中央中心部Ｓ３１における吸収コア３０の外側縁３０Ｅが中央端部Ｓ３２における吸収コア３０の外側縁３０Ｅよりも幅方向Ｗの外側に位置し、中央中心部Ｓ３１における吸収コアの幅方向Ｗの長さを確保し易く、横漏れを抑制できる。
【００８０】
折曲基点部７１は、中央端部Ｓ３２から中央中心部Ｓ３１に向かって幅方向Ｗの内側に膨らんだ湾曲形状であってよい。中央端部Ｓ３２から中央中心部Ｓ３１に向かって幅方向Ｗの内側に膨らんだ湾曲形状であるため、幅方向Ｗの内側に向かう力を中央中心部Ｓ３１において折曲基点部７１間に伝えやすく、折曲基点部７１間の領域が身体側により膨らみやすく、排泄口に対するフィット性をより向上できる。
【００８１】
折曲基点部７１は、折曲圧搾部８１によって構成されてよい。折曲圧搾部８１は、周囲と比較して剛性差及び厚み差があり、変形基点となりやすい。また、折曲圧搾部８１は、周囲と比較して高い密度であり、体液を引き込みやすい。よって、折曲基点部７１に到達した体液を前後方向Ｌに拡散しつつ、折曲基点部７１よりも幅方向Ｗの外側に拡散させ難くし、横漏れをより抑制できる。
【００８２】
図６に示すように、サイド圧搾部８５の厚さ方向における最深部ＤＭ８５は、折曲圧搾部８１の厚さ方向における最深部ＤＭ８１よりも肌面側Ｔ１に位置してよい。すなわち、サイド圧搾部８５の圧縮の程度は、折曲圧搾部８１の圧縮の程度よりも弱くてよい。当該構成によれば、サイド圧搾部８５によって折曲基点部７１よりも幅方向Ｗの外側の領域の剛性を高め、脚によって挟まれた際に折曲基点部７１よりも幅方向Ｗの外側の領域が幅入りし過ぎることを抑制できる。よって、折曲基点部７１よりも幅方向Ｗの外側の領域の幅方向Ｗの長さを確保でき、横漏れを抑制できる。また、折曲基点部７１よりも幅方向Ｗの外側の領域は、サイド圧搾部８５の圧縮の程度が弱いため、剛性が高くなりすぎず、脚に触れた際の違和感を抑制できる。
【００８３】
なお、折曲圧搾部８１が高圧搾部８１Ｈと低圧搾部８１Ｌを有する形態にあっては、サイド圧搾部８５の最深部ＤＭ８５が、高圧搾部８１Ｈの最深部よりも肌面側Ｔ１に位置していればよく、サイド圧搾部８５の最深部ＤＭ８５が低圧搾部８１Ｌの最深部よりも非肌面側又は厚み方向において同じ深さであってもよい。
【００８４】
一対の折曲基点部７１に挟まれた領域には、高坪量部３３が設けられてよい。高坪量部３３によって一対の折曲基点部７１の間の領域における体液の吸収容量を高め、折曲基点部７１よりも幅方向Ｗの外側の領域に到達する体液を低減し、横漏れをより抑制できる。また、高坪量部３３によって一対の折曲基点部７１の間の領域の厚みが厚くなり、一対の折曲基点部７１の間の領域の排泄口に対するフィット性を向上できる。また、高坪量部３３によって一対の折曲基点部７１の間の領域の剛性が高くなり、幅方向Ｗの内側に向かう力がかかった際の意図しないヨレや折れを抑制でき、フィット性を確保できる。
【００８５】
一対の折曲基点部７１に挟まれた領域には、中央圧搾部８６が設けられてよい。当該構成によれば、一対の折曲基点部７１の間の領域における体液の引き込み性を高め、折曲基点部７１よりも幅方向Ｗの外側の領域に到達する体液を低減し、横漏れをより抑制できる。また、中央圧搾部８６によって一対の折曲基点部７１の間の領域の剛性が高くなり、幅方向Ｗの内側に向かう力がかかった際の意図しないヨレや折れを抑制でき、フィット性を確保できる。
【００８６】
本体接合部６１は、中央中心部Ｓ３１における吸収コア３０の外側縁３０Ｅと重ならない領域に配置されてよい。本体接合部６１は、中央中心部Ｓ３１における吸収コア３０の外側縁３０Ｅよりも幅方向Ｗの内側に配置されてよい。着用者の脚によって挟まれた際の力は、中央中心部Ｓ３１に掛かり易く、特に中央中心部Ｓ３１における吸収コア３０の外側縁３０Ｅにかかる。このとき、中央中心部Ｓ３１における吸収コア３０の外側縁３０Ｅに本体接合部６１が重なっていないため、中央中心部Ｓ３１における吸収コア３０の外側縁３０Ｅが着用物品側に引っ張られずに、着用物品に対して立ち上がりやすくなる。中央中心部Ｓ３１における吸収コア３０の外側縁３０Ｅが立ち上がることにより、排泄口のサイドを覆う壁が形成され、横漏れを抑制できる。
【００８７】
中央域Ｓ３において、吸収コア３０の外側縁３０Ｅは、ウイング３よりも幅方向Ｗの内側に位置してよい。すなわち、吸収コアの外側縁３０Ｅは、ウイングの内側縁（仮想線ＦＬ１）と離間し、ウイングの内側縁よりも幅方向Ｗの内側に位置する。当該構成によれば、中央域Ｓ３の吸収コア３０は、ウイング３と共に非肌面側に折り返されず、着用物品に対して立ち上がりやすくなる。中央域Ｓ３における吸収コア３０の外側縁３０Ｅが立ち上がることにより、排泄口の側方を覆う壁が形成され、横漏れを抑制できる。
【００８８】
防漏壁６５は、折曲基点部７１よりも幅方向Ｗの外側に位置してよい。すなわち、防漏壁６５の内側縁を構成する起立部の内側縁は、折曲基点部７１よりも幅方向Ｗの外側に位置してよい。なお、防漏伸縮部材を有する形態にあっては、防漏伸縮部材の皺が形成されなくなるまで吸収性物品を伸長させた状態で、防漏壁が折曲基点部７１よりも幅方向Ｗの外側に位置していればよい。当該構成によれば、排泄口の側方を覆う防漏壁が折曲基点部７１よりも幅方向Ｗの外側に形成され、横漏れを抑制できる。よって、折曲基点部７１よりも幅方向Ｗの外側に体液が拡散した場合に、折曲基点部７１よりも幅方向Ｗの外側の吸収コアによって体液を吸収するとともに、防漏壁によって横漏れを抑制できる。
【００８９】
中央中心部Ｓ３１における吸収コア３０の外側縁３０Ｅは、幅支点部６７よりも幅方向Ｗの外側に位置してよい。吸収コア３０によって速やかに体液が引き込まれなかった場合や吸収コア３０の吸収容量を超えた場合には、体液が肌面シート１０上に残り、幅方向Ｗの外側に伝わる。このとき、防漏壁の起立部の支点となる幅支点部６７に到達することがある。この体液の拡散は、体液が導かれ易い中央中心部Ｓ３１において発生しやすい。中央中心部Ｓ３１における吸収コア３０の外側縁３０Ｅが幅支点部６７よりも幅方向Ｗの外側に位置するため、幅支点部６７まで体液が到達しても、当該到達した体液を吸収コア３０によって吸収でき、横漏れを抑制できる。なお、吸収コア３０の外側縁３０Ｅは、中央中心部Ｓ３１の少なくとも一部において幅支点部６７よりも幅方向Ｗの外側に位置していればよいが、より好適には、中央中心部Ｓ３１の前後方向の全域において幅支点部６７よりも幅方向Ｗの外側に位置してよい。
【００９０】
第１括れ部９１は、中央中心部Ｓ３１よりも後側に配置されてよい。スポーツ時等において着用者が比較的に大きな動作をすると、吸収性物品のうち特に後側域Ｓ２に捩れさせようとする力が作用する。このとき、一対の第１括れ部９１によって後側域Ｓ２のねじれを吸収し、当該ねじれが中央中心部Ｓ３１に伝わり難くなる。よって、中央中心部Ｓ３１における排泄口に対するフィット性の確保と横漏れの抑制効果を両立できる。
【００９１】
また、中央中心部Ｓ３１よりも後側に後圧搾部８３が設けられていてよい。後圧搾部８３は、平面視にてX字状である。当該X字状の基点によって変形できねじれを吸収したり、延出部に沿って力を四方に逃がしたりできる。後圧搾部８３によっても後側域Ｓ２のねじれを吸収し、当該ねじれが中央中心部Ｓ３１に伝わり難くなる。よって、中央中心部Ｓ３１における排泄口に対するフィット性の確保と横漏れの抑制効果を両立できる。
【００９２】
第１括れ部９１は、中央域Ｓ３の後端縁よりも前側に位置してよい。中央域Ｓ３にかかる幅方向Ｗの内側に向かう力を第１括れ部９１によって分断でき、後側域Ｓ２を臀部に沿わせるように配置できる。加えて、後側域Ｓ２からの力を第１括れ部９１によって分断でき、後側域Ｓ２にかかる力が中央中心部Ｓ３１に係り難くなり、中央中心部Ｓ３１における吸収コア３０の幅方向Ｗの長さを確保し、横漏れを抑制できる。
【００９３】
第２括れ部９２は、中央中心部Ｓ３１よりも前側に配置されてよい。中央中心部Ｓ３１よりも前側に第２括れ部９２が設けられているため、中央中心部Ｓ３１よりも前側に吸収コア３０の変形基点が形成される。一般的に、身体の前後方向Ｌに沿った断面において、排泄口よりも前側は、後側よりも急な傾斜の曲線状であり、吸収コア３０が身体に沿い難い。しかし、第２括れ部９２によって排泄口よりも前側に吸収コア３０が変形する基点が形成され、排泄口よりも前側の領域が身体に沿い易くなる。排泄口よりも前側の領域において体液の吸収性が高くなり、結果として排泄口よりも幅方向Ｗの外側に拡散する体液が少なくなり、横漏れを低減できる。また、前側域Ｓ１からの力を第２括れ部９２によって分断でき、前側域Ｓ１にかかる力が中央中心部Ｓ３１に係り難くなり、中央中心部Ｓ３１における吸収コア３０の幅方向Ｗの長さを確保し、横漏れを抑制できる。
【００９４】
また、中央中心部Ｓ３１よりも前側に前圧搾部８２が設けられていてよい。前圧搾部８２は、平面視にてX字状である。当該X字状の基点によって変形できねじれを吸収したり、延出部に沿って力を四方に逃がしたりできる。前圧搾部８２によっても前側域Ｓ１のねじれを吸収し、当該ねじれが中央中心部Ｓ３１に伝わり難くなる。よって、中央中心部Ｓ３１における排泄口に対するフィット性の確保と横漏れの抑制効果を両立できる。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００９６】
折曲基点部によって挟まれた領域の排泄口に対するフィット性を確保しつつ、中央域の横漏れを抑制できる吸収性物品を提供することができる。
【符号の説明】
【００９７】
１        ：吸収性物品
３        ：ウイング
１０      ：肌面シート
１１      ：表面シート
１２      ：サイドシート
２０      ：非肌面シート
３０      ：吸収コア
３０Ｅ    ：外側縁
３３      ：高坪量部
６１      ：本体接合部
６５      ：防漏壁
６６      ：起立部
６７      ：幅支点部
７１      ：折曲基点部
８０      ：圧搾部
８１      ：折曲圧搾部
８１Ｈ    ：高圧搾部
８１Ｌ    ：低圧搾部
８２      ：前圧搾部
８３      ：後圧搾部
８５      ：サイド圧搾部
８６      ：中央圧搾部
９１      ：第１括れ部
９２      ：第２括れ部
ＤＭ８１  ：折曲圧搾部の最深部
ＤＭ８５  ：サイド圧搾部の最深部
Ｓ１      ：前側域
Ｓ２      ：後側域
Ｓ３      ：中央域
Ｓ３１    ：中央中心部
Ｓ３２    ：中央端部
【図１】
2020124316.tif 000003
【図２】
2020124316.tif 000004
【図３】
2020124316.tif 000005
【図４】
2020124316.tif 000006
【図５】
2020124316.tif 000007
【図６】
2020124316.tif 000008
【図７】
2020124316.tif 000009
【図８】
2020124316.tif 000010